(57)【要約】【課題】画像編集の作業がし易く、画像編集の利便性を向上して使い勝手を良くすること。【解決手段】デジタルカメラ２と外部編集装置３とから成る画像編集システム１を構成し、デジタルカメラ２は、画像ファイルのうち管理データＭと表示用画像データＤ１とをアンテナ４９を介して電波として外部編集装置３に向けて発信し、外部編集装置３は、デジタルカメラ２から表示用画像データＤ１の画像を大型液晶モニタ１４に表示して色調補正、明度補正及びコントラスト補正、モノクロームの作成、セピアの作成等の画像編集を行い、この画像編集の編集指示情報Ｈをアンテナ４９を介して電波としてデジタルカメラ２に向けて発信し、再びデジタルカメラ２は、編集指示情報Ｈに従って本画像データＤ２を編集処理する。【選択図】図１
2010050635.tif 000002
【特許請求の範囲】
【請求項１】
被写体を撮像するデジタルカメラと、前記デジタルカメラとの間で無線通信可能な外部編集装置とから成る画像編集システムにおいて、
前記デジタルカメラは、前記被写体を撮像する撮像部と、
前記撮像部の出力信号に基づいて第１の画像データと前記第１の画像データよりもデータ量の多い第２の画像データとを生成する画像生成部と、
前記画像生成部により生成された前記第１の画像データを表示可能とする第１の表示部と、
少なくとも前記画像生成部により生成された前記第１の画像データを前記外部編集装置に向けて送信する第１の送信部と、
前記外部編集装置から送信された画像編集に関する情報を受信する第１の受信部と、
前記第１の受信部により受信された前記画像編集情報に基づいて前記第２の画像データに対して編集処理を施す第１の画像処理手段と、
を具備し、
前記外部編集装置は、前記第１の送信部から送信された前記第１の画像データを受信する第２の受信部と、
前記第１の表示部よりも大きな表示画面を有し、前記第２の受信部により受信された前記第１の画像データを表示する第２の表示部と、
前記第２の表示部に表示されている前記第１の画像データに対して編集指示を行うための指示部と、
前記指示部により指示された前記編集指示に従って前記第２の表示部に表示されている前記第１の画像データに対して編集処理を施す第２の画像処理部と、
前記指示部により指示された前記編集指示の情報を前記デジタルカメラに向けて送信する第２の送信部と、
を具備することを特徴とする画像編集システム。
【請求項２】
前記デジタルカメラは、少なくとも１つ以上の前記第１の画像データを記憶する記憶媒体を有し、前記第１の送信部によって送信の指示操作に応答して前記記憶媒体に記憶されている少なくとも１つ以上の前記第１の画像データを前記外部編集装置に向けて送信する、
ことを特徴とする請求項１記載の画像編集システム。
【請求項３】
前記デジタルカメラは、前記第１の送信部によって前記第１の画像データと当該第１の画像データの管理データとを前記外部編集装置に向けて送信することを特徴とする請求項１記載の画像編集システム。
【請求項４】
前記外部編集装置は、前記編集指示情報として前記第１の画像データを特定する情報と、前記第１の画像データに対する編集の項目と、当該編集の内容とを含むことを特徴とする請求項１記載の画像編集システム。
【請求項５】
前記外部編集装置は、前記編集の項目として色調補正、明度補正、コントラスト補正、モノクロームの作成、セピアの作成を含むことを特徴とする請求項４記載の画像編集システム。
【請求項６】
前記外部編集装置は、前記第２の表示部によって前記デジタルカメラから送信された１つ以上の前記第１の画像データを前記表示画面上に一覧表示し、かつ前記指示部によって前記表示画面上に一覧表示されている前記１つ以上の前記第１の画像データ中から編集処理を施すための前記第１の画像データを選択指示する、
ことを特徴とする請求項１記載の画像編集システム。
【請求項７】
前記外部編集装置は、前記指示部として前記第２の表示部の前記表示画面上に設けられたタッチパネルを有し、かつ前記表示画面上に前記編集指示のメニューを表示することを特徴とする請求項１記載の画像編集システム。
【請求項８】
前記指示部は、前記編集指示のメニューとして色調補正、明度補正、コントラスト補正、モノクロームの作成、セピアの作成を表示することを特徴とする請求項７記載の画像編集システム。
【請求項９】
被写体を撮像する撮像部と、
前記撮像部の出力信号に基づいて第１の画像データと当該第１の画像データよりもデータ量の多い第２の画像データとを生成する画像生成部と、
前記画像生成部により生成された前記第１の画像データを表示可能とする表示部と、
少なくとも前記画像生成部により生成された前記第１の画像データを外部編集装置に向けて送信する送信部と、
前記外部編集装置から送信された画像編集に関する情報を受信する受信部と、
前記受信部により受信された前記画像編集情報に基づいて前記第２の画像データに対して編集処理を施す画像処理手段と、
を具備することを特徴とするデジタルカメラ。
【請求項１０】
デジタルカメラから送信された画像データを受信する受信部と、
前記デジタルカメラに有する第１の表示部よりも大きな表示画面を有し、前記受信部により受信された前記画像データを表示する第２の表示部と、
前記第２の表示部に表示されている前記画像データに対して編集指示を行うための指示部と、
前記指示部により指示された前記編集指示に従って前記第２の表示部に表示されている前記画像データに対して編集処理を施す画像処理部と、
前記指示部により指示された前記編集指示の情報を前記デジタルカメラに向けて送信する送信部と、
を具備することを特徴とする外部編集装置。
【発明の詳細な説明】
【技術分野】
【０００１】
本発明は、デジタルカメラの撮影により取得された画像データに対して編集処理を施す画像編集システム、及び画像編集システムに用いられるデジタルカメラ、外部編集装置に関する。
【背景技術】
【０００２】
デジタルカメラの撮影により取得された画像データに対して例えば色度（カラーバランス）の調整や明度の調整、コントラストの調整等のいわゆる画像編集が行われている。このような画像編集は、例えばデジタルカメラから編集対象の画像データをパーソナルコンピュータに転送し、このパーソナルコンピュータにおいて行うのが一般的である。  
このような画像の編集作業は、デジタルカメラとパーソナルコンピュータとをＵＳＢ（ユニバーサル・シリアル・バス）ケーブルを介して接続したり、パーソナルコンピュータにおいて画像編集用のソフトウエアを立ち上げて編集処理する等、非常に煩わしいものである。
【０００３】
最近のデジタルカメラは、簡易的な画像編集を行うための機能を有するものが増えている。しかしながら、デジタルカメラは、画像を表示するための表示画面のサイズが小さく、かつ操作ボタン等の操作部材のサイズも小さい。このため、デジタルカメラにおいて画像編集を快適に行うことには困難性がある。
【０００４】
画像編集に関する技術は、例えば特許文献１に開示されている。この特許文献１は、デジタルカメラと携帯電話とを通信ケーブルを介して接続し、携帯電話に設けられている制御用ボタンをデジタルカメラ画像編集のコマンドに割り当てて携帯電話をユーザインタフェースとして用い、デジタルカメラにおいて携帯電話からの画像編集の命令に従って画像を編集することを開示する。
【特許文献１】特開２００３−１９８９１７号公報
【発明の開示】
【発明が解決しようとする課題】
【０００５】
携帯電話機は、デジタルカメラと比較して操作ボタン等の操作部材の個数が多い。しかしながら、最近の携帯電話機は、小型化が進み、これに伴って操作ボタン等の操作部材のサイズも小さくなり、上記デジタルカメラと同様に、画像編集を快適に行うことは困難であり、利便性もそれ程向上するものでない。
【０００６】
本発明の目的は、画像編集の作業がし易く、画像編集の利便性を向上して使い勝手を良くした画像編集システム、デジタルカメラ及び外部編集装置を提供することにある。
【課題を解決するための手段】
【０００７】
本発明の主要な局面に係る画像編集システムは、被写体を撮像するデジタルカメラと、デジタルカメラとの間で無線通信可能な外部編集装置とから成り、デジタルカメラは、被写体を撮像する撮像部と、撮像部の出力信号に基づいて第１の画像データと第１の画像データよりもデータ量の多い第２の画像データとを生成する画像生成部と、画像生成部により生成された第１の画像データを表示可能とする第１の表示部と、少なくとも画像生成部により生成された第１の画像データを外部編集装置に向けて送信する第１の送信部と、外部編集装置から送信された画像編集に関する情報を受信する第１の受信部と、第１の受信部により受信された画像編集情報に基づいて第２の画像データに対して編集処理を施す第１の画像処理手段とを具備し、外部編集装置は、第１の送信部から送信された第１の画像データを受信する第２の受信部と、第１の表示部よりも大きな表示画面を有し、第２の受信部により受信された第１の画像データを表示する第２の表示部と、第２の表示部に表示されている第１の画像データに対して編集指示を行うための指示部と、指示部により指示された編集指示に従って第２の表示部に表示されている第１の画像データに対して編集処理を施す第２の画像処理部と、指示部により指示された編集指示の情報をデジタルカメラに向けて送信する第２の送信部とを具備する。
【０００８】
本発明の主要な局面に係るデジタルカメラは、被写体を撮像する撮像部と、撮像部の出力信号に基づいて第１の画像データと当該第１の画像データよりもデータ量の多い第２の画像データとを生成する画像生成部と、画像生成部により生成された第１の画像データを表示可能とする表示部と、少なくとも画像生成部により生成された第１の画像データを外部編集装置に向けて送信する送信部と、外部編集装置から送信された画像編集に関する情報を受信する受信部と、受信部により受信された画像編集情報に基づいて第２の画像データに対して編集処理を施す画像処理手段とを具備する。
【０００９】
本発明の主要な局面に係る外部編集装置は、デジタルカメラから送信された画像データを受信する受信部と、デジタルカメラに有する第１の表示部よりも大きな表示画面を有し、受信部により受信された画像データを表示する第２の表示部と、第２の表示部に表示されている画像データに対して編集指示を行うための指示部と、指示部により指示された編集指示に従って第２の表示部に表示されている画像データに対して編集処理を施す画像処理部と、指示部により指示された編集指示の情報をデジタルカメラに向けて送信する送信部とを具備する。
【発明の効果】
【００１０】
本発明によれば、画像編集の作業がし易く、画像編集の利便性を向上して使い勝手を良くした画像編集システム、デジタルカメラ及び外部編集装置を提供できる。
【発明を実施するための最良の形態】
【００１１】
以下、本発明の一実施の形態について図面を参照して説明する。  
図１は画像編集システムの外観図を示し、図２は同システムを構成するデジタルカメラ２の具体的な構成図を示し、図３は同システムを構成する外部編集装置３の具体的な構成図を示す。  
画像編集システム１は、デジタルカメラ２と外部編集装置３とから成る。これらデジタルカメラ２と外部編集装置３とは、互いに無線によりデータ通信可能である。デジタルカメラ２は、被写体を撮像するもので、カメラ本体４の正面には、交換レンズ５が着脱可能に設けられている。カメラ本体４の上面には、レリーズスイッチ６が設けられている。カメラ本体４の背面には、再生スイッチ７と、メニュースイッチ８と、送信スイッチ９と、電源レバー（パワースイッチ）１０と、各選択釦１１とが設けられると共に、第１の表示部としての液晶モニタ（背面液晶モニタ）１２が設けられている。この液晶モニタ１２は、カメラ本体４の背面に限らず、撮影者が観察可能な位置であれば、他の位置でもよい。この液晶モニタ１２は、ライブビュー表示を行い、又、撮影済みの被写体像を再生表示したり、撮影情報及びメニューを表示する。
【００１２】
外部編集装置３は、装置本体１３に例えば液晶ディスプレイ等から成る第２の表示部としての大型液晶モニタ１４を備える。この大型液晶モニタ１４は、デジタルカメラ２の液晶モニタ１２の画面サイズよりも大きなサイズの大型表示画面１５を備える。又、この大型表示画面１５上には、タッチパネルスイッチ１６が設けられている。なお、装置本体１３の側面には、電源レバー１７が設けられている。
【００１３】
デジタルカメラ２は、図２に示すように交換レンズ２０とカメラ本体２１とから成り、これら交換レンズ２０とカメラ本体２１とは、互いに着脱可能である。なお、交換レンズ２０とカメラ本体２１とは、一体的に構成してもよい。交換レンズ２０には、焦点調節及び焦点距離調節用の撮影光学系２２と、開口量を調節するため絞り等の光量調節機構２３とが設けられている。これら撮影光学系２２と光量調節機構２３とは、同一光軸ａ上に配置されている。このうち撮影光学系２２は、レンズ駆動機構２４によって駆動される。光量調節機構２３は、光量調節駆動機構２５によって駆動される。
【００１４】
カメラ本体２１には、赤外カットフィルタ・ローパスフィルタ３０と、撮像部としての撮像素子３１とが設けられている。これら赤外カットフィルタ・ローパスフィルタ３０と撮像素子３１とは、交換レンズ２０及びカメラ本体２１を一体化したときに、交換レンズ２０の光軸ａ上に設けられる。赤外カットフィルタ・ローパスフィルタ３０は、被写体からの光束から赤外光成分と高調波成分とを除去する。
【００１５】
撮像素子３１は、撮影光学系２２によって結像される被写体像を電気信号に光電変換するもので、例えばＣＣＤ（Ｃharge Ｃoupled Ｄevicse）又はＣＭＯＳ（Ｃomplementary Ｍetal Ｏxide Ｓemiconductor）等の二次元撮像素子である。この撮像素子３１には、撮像素子駆動回路３２とＡ／Ｄ変換回路３３とが接続され、撮像素子駆動回路３２によって画像信号の読み出しが行われ、撮像素子３１から読み出された画像信号がＡ／Ｄ変換回路３３によってデジタル化されて画像データとなる。
【００１６】
又、カメラ本体２１には、ＡＳＩＣ（Ａpplication Ｓpecific Ｉntegrated Ｃircuit：特定用途向け集積回路）３４が設けられている。このＡＳＩＣ３４には、カメラコントローラ３５が設けられている。このカメラコントローラ３５には、データバス３６を介して画像処理回路３７と、圧縮伸張回路３８と、ビデオ信号出力回路３９と、ＳＤＲＡＭ制御回路４０と、入出力回路４１と、送受信回路４２と、記録媒体制御回路４３と、フラッシュメモリ制御回路４４と、スイッチ検知回路４５とが接続されている。
【００１７】
カメラコントローラ３５は、本デジタルカメラ２の動作を制御するもので、画像処理回路３７と、圧縮伸張回路３８と、ビデオ信号出力回路３９と、ＳＤＲＡＭ制御回路４０と、入出力回路４１と、送受信回路４２と、記録媒体制御回路４３と、フラッシュメモリ制御回路４４と、スイッチ検知回路４５とを動作制御する。  
画像処理回路３７は、Ａ／Ｄ変換回路３３からの画像データを入力し、この画像データに対してデジタル的増幅（デジタルゲイン調整処理）と、色補正と、ガンマ（γ）補正と、コントラスト補正等の各種の画像処理を行う。又、画像処理回路３７は、Ａ／Ｄ変換回路３３からの画像データから被写体の輝度を求める。  
この画像処理回路３７は、画像データに対して上記各種の画像処理を行ない、図４に示すような構造を有する画像ファイルを作成する。この画像ファイルは、液晶モニタ１２に表示するための第１の画像データとしての表示用の画像データＤ１と、この表示用の画像データＤ１よりもデータ量の多い第２の画像データとしての本画像データＤ２を含む。
【００１８】
表示用画像データＤ１は、例えば６４０×６４０ピクセルの画像サイズを有し、本画像データＤ２は、例えば３２００×２４００ピクセルの画像サイズを有する。画像ファイルは、ファイル名を含み、かつ表示用の画像データＤ１及び本画像データＤ２の管理データＭと、当該表示用画像データＤ１と、本画像データＤ２とから成る。  
又、画像処理回路３７は、送受信回路４２で受信した外部編集装置３からの画像編集に関する情報に基づいて第２の画像データである本画像データＤ２に対して編集処理を施す。
【００１９】
圧縮伸張回路３８は、ＳＤＲＡＭ４６に記録されている画像データを例えばＪＰＥＧ又はＴＩＦＦ等の圧縮方式によって圧縮処理し、この圧縮された画像データを伸張処理する。圧縮方式は、ＪＰＥＧ又はＴＩＦＦに限らず、他の圧縮方式を用いてもよい。  
ビデオ信号出力回路３９には、液晶モニタ駆動回路４７を介して液晶モニタ１２に接続されている。このビデオ信号出力回路３９は、ＳＤＲＡＭ４６に記録されている画像データ、メモリカード等の記録媒体４８に記録されている画像データ、画像処理回路３７から出力されるライブビュー用の画像データ、又はその他のカメラ制御用の種々のデータを液晶モニタ１２に表示するためのビデオ信号に変換する。液晶モニタ駆動回路４７は、ビデオ信号出力回路３９からのビデオ信号を入力してライブビュー用の画像データ等を液晶モニタ１２に表示する。
【００２０】
ＳＤＲＡＭ制御回路４０には、バッファメモリとしてのＳＤＲＡＭ４６が接続されている。このＳＤＲＡＭ４６は、例えば画像処理回路３７によって画像処理された画像データ、又は圧縮伸張回路３８によって圧縮処理された画像データを一時的に記憶する。ＳＤＲＡＭ制御回路４０は、ＳＤＲＡＭ４６に対して画像データの記憶、読み出し等の制御を行う。  
入出力回路４１は、カメラコントローラ３５から発せられた各制御信号をデータバス３６を介して受け取り、これら制御信号をレンズ駆動機構２４、光量調節駆動機構２５又は撮像素子駆動回路３２に送る。
【００２１】
送受信回路４２には、アンテナ４９が接続されている。アンテナ４９は、電波を受波して電気信号に変換し、かつ電気信号を電波に変換して送波する。この送受信回路４２は、アンテナ４９を介して外部編集装置３との間で無線通信を行う。  
具体的に送受信回路４２は、画像処理回路３７により生成した画像データ、すなわち図４に示す画像ファイルのうち管理データＭと表示用画像データＤ１とをアンテナ４９を電気信号に変換し、この電気信号を外部編集装置３に向けてアンテナ７１から電波として発信する。なお、送受信回路４２は、各種スイッチ５１のうち例えば各選択釦１１に対する画像選択と、送信スイッチ９に対する送信の指示操作に応答して例えばＳＤＲＡＭ４６又は記録媒体４８に記憶されている少なくとも１つ以上の表示用の画像データを外部編集装置３に向けて送信する。  
又、送受信回路４２は、アンテナ４９からの電気信号を入力し、この電気信号を検波等の処理をして外部編集装置３から送信された画像編集に関する情報、すなわち表示用画像データＤ１に対して画像編集された情報を受信する。
【００２２】
記録媒体制御回路４３には、メモリカード等の記録媒体４８が接続される。この記録媒体４８は、書き換え可能で、例えばｘＤピクチャーカード（登録商標）、コンパクトフラッシュ（登録商標）、ＳＤメモリカード（登録商標）、メモリステック（登録商標）等のカメラ本体２１に対して着脱可能である。記録媒体制御回路４３は、記録媒体４８に対して画像データ等の記録及び画像データ等の読み出しの制御を行う。  
フラッシュメモリ制御回路４４には、フラッシュメモリ５０が接続される。このフラッシュメモリ５０は、例えば電気的に書き換え可能な不揮発性メモリである。このフラッシュメモリ５０には、本デジタルカメラ２の動作を制御するためのプログラムが予め記憶されている。なお、カメラコントローラ３５は、フラッシュメモリ５０に記憶されているプログラムをフラッシュメモリ制御回路４４を通して実行することにより本デジタルカメラ２の動作を制御する。
【００２３】
スイッチ検知回路４５には、各種スイッチ５１が接続されている。各種スイッチ５１は、例えばレリーズスイッチ６と、再生スイッチ７と、メニュースイッチ８と、送信スイッチ９と、電源レバー１０と、各選択釦１１とを有する。スイッチ検知回路４５は、各種スイッチ５１のオン・オフ状態等を検知する。
【００２４】
一方、外部編集装置３には、図３に示すようにディスプレイコントローラ６０が設けられている。このディスプレイコントローラ６０には、データバス６１を介して圧縮伸張回路６２と、ビデオ信号出力回路６３と、ＳＤＲＡＭ制御回路６４と、フラッシュメモリ制御回路６５と、送受信回路６６と、スイッチ検知回路６７と、画像処理回路６８とが接続されている。ディスプレイコントローラ６０は、本外部編集装置３の動作を制御するもので、圧縮伸張回路６２と、ビデオ信号出力回路６３と、ＳＤＲＡＭ制御回路６４と、フラッシュメモリ制御回路６５と、送受信回路６６と、スイッチ検知回路６７と、画像処理回路６８とを動作制御する。
【００２５】
圧縮伸張回路６２は、ＳＤＲＡＭ６９に記録されている表示用画像データＤ１を例えばＪＰＥＧ又はＴＩＦＦ等の圧縮方式によって圧縮処理し、この圧縮された表示用画像データＤ１を伸張処理する。圧縮方式は、ＪＰＥＧ又はＴＩＦＦに限らず、他の圧縮方式を用いてもよい。  
ビデオ信号出力回路６３は、液晶モニタ駆動回路７０を介して大型液晶モニタ１４に接続されている。このビデオ信号出力回路６３は、ＳＤＲＡＭ６９に記録されている表示用画像データＤ１を大型液晶モニタ１４に表示するためのビデオ信号に変換する。
【００２６】
ここで、ＳＤＲＡＭ６９には、１枚以上の表示用画像データＤ１が記録される。しかるに、ビデオ信号出力回路６３は、ＳＤＲＡＭ６９に記録されている複数の表示用画像データＤ１を大型液晶モニタ１４に表示するためのビデオ信号に変換する。これにより、大型液晶モニタ１４には、例えば図５に示すような複数の表示用画像データＤ１が一覧表示すなわちサムネイル表示される。ここでは、例えば１５枚の表示用画像データＤ１がサムネイル表示され、かつ１６枚以上の表示用画像データＤ１が存在を示す「次の」ボタン７２が表示されている。
【００２７】
又、ビデオ信号出力回路６３は、ディスプレイコントローラ６０からの指令を受けて例えば図６に示すような表示用画像データＤ１に対する画像編集のメニュー７３を大型液晶モニタ１４に表示するためのビデオ信号を作成する。この画像編集のメニュー７３の画像は、例えば色調補正ボタン７４と、明度補正及びコントラスト補正ボタン７５と、モノクロームの作成ボタン７６と、セピアの作成ボタン７７とを有する。この画像編集のメニュー７３は、例えばサムネイル表示されている複数の表示用画像データＤ１の一端部側に縦方向に並べて表示される。
【００２８】
又、ビデオ信号出力回路６３は、ディスプレイコントローラ６０からの指令を受けて例えば図７に示すような色調補正用の調整画面７８Ｓを大型液晶モニタ１４に表示するためのビデオ信号を作成する。この色調補正用の調整画面７８Ｓは、色調を補正するための赤色調整ボタン７８Ｒ−１と、緑色調整ボタン７８Ｇ−１と、青色調整ボタン７８Ｂ−１とを有する。これら赤色調整ボタン７８Ｒ−１と、緑色調整ボタン７８Ｇ−１と、青色調整ボタン７８Ｂ−１とは、それぞれスライド式で、例えば左側「−」が色調の度合いが小さく、左側「＋」が色調の度合いが高い。これら赤色調整ボタン７８Ｒ−１と緑色調整ボタン７８Ｇ−１と青色調整ボタン７８Ｂ−１とには、それぞれ各色調の度合いを数字により示す各色調レベル表示部７８Ｒ−２、７８Ｇ−２、７８Ｂ−２が並設して表示される。
【００２９】
又、ビデオ信号出力回路６３は、ディスプレイコントローラ６０からの指令を受けて例えば図８に示すような明度補正及びコントラスト補正用の調整画面７９Ｓを大型液晶モニタ１４に表示するためのビデオ信号を作成する。この明度補正及びコントラスト補正用の調整画面７９Ｓは、明度を補正するための明度調整ボタン８０−１と、コントラスト調整ボタン８１−１とを有する。これら明度調整ボタン８０−１と、コントラスト調整ボタン８１−１とは、それぞれスライド式で明度、コントラストを調整する。例えば明度調整ボタン８０−１は、左側「−」が明度の度合いが小さく、左側「＋」が明度の度合いが高い。又、コントラスト調整ボタン８１−１は、左側「−」がコントラストの度合いが小さく、左側「＋」がコントラストの度合いが高い。このうち明度調整ボタン８０−１には、明度の度合いを数字により示す明度レベル表示部８０−２が並設して表示される。コントラスト調整ボタン８１−１には、コントラストの度合いを数字により示すコントラストレベル表示部８１−２が並設して表示される。  
なお、図７に示すような色調補正用の調整画面７８Ｓと図８に示す明度補正及びコントラスト補正用の調整画面７９Ｓとには、それぞれ画像編集を確定するためのボタンすなわちＯＫボタン８２と、例えば１つ前の画面に戻るための戻りボタン８３とが表示される。
【００３０】
ＳＤＲＡＭ制御回路６４には、バッファメモリとしてのＳＤＲＡＭ６９が接続されている。このＳＤＲＡＭ６９は、例えば表示用画像データＤ１又は圧縮伸張回路６２によって圧縮処理された表示用画像データＤ１を一時的に記憶する。ＳＤＲＡＭ制御回路６４は、ＳＤＲＡＭ６９に対して表示用画像データＤ１の記憶、読み出し等の制御を行う。  
送受信回路６６には、アンテナ７１が接続されている。アンテナ７１は、電波を受波して電気信号に変換し、かつ電気信号を電波に変換して送波する。送受信回路６６は、アンテナ７１からの電気信号を入力し、この電気信号を検波等の処理をしてデジタルカメラ２から送られてきた管理データＭと表示用画像データＤ１との電気信号として受信する。又、送受信回路６６は、表示用画像データＤ１に対して画像編集された情報を電気信号に変換し、この電気信号をデジタルカメラ２向けにアンテナ７１から電波として発信させる。
【００３１】
スイッチ検知回路６７には、タッチパネルスイッチ１６と、電源レバー１７とが接続されている。タッチパネルスイッチ１６は、大型液晶モニタ１４の大型表示画面１５上に設けられており、操作者のタッチ操作を受けてタッチ部位に対応する座標信号を発生する。  
しかるに、大型液晶モニタ１４の大型表示画面１５上に上記図６に示すように画像編集のメニュー７３を形成する色調補正ボタン７４と、明度補正及びコントラスト補正ボタン７５と、モノクロームの作成ボタン７６と、セピアの作成ボタン７７とが表示された場合、これらボタン７４〜７７とタッチパネルスイッチ１６との組み合わせにより表示用画像データＤ１に対する画像編集等の編集指示を行うための指示部が形成される。  
すなわち、操作者により色調補正ボタン７４の部位がタッチ操作されると、タッチパネルスイッチ１６は、色調補正ボタン７４の部位に対応する座標信号を発生する。同様に、タッチパネルスイッチ１６は、明度補正及びコントラスト補正ボタン７５の部位がタッチ操作されると、当該明度補正及びコントラスト補正ボタン７５の部位に対応する座標信号を発生し、モノクロームの作成ボタン７６の部位がタッチ操作されると、当該モノクロームの作成ボタン７６の部位に対応する座標信号を発生し、セピアの作成ボタン７７の部位がタッチ操作されると、当該セピアの作成ボタン７７の部位に対応する座標信号を発生する。
【００３２】
又、大型液晶モニタ１４の大型表示画面１５上に上記図７に示すように色調補正用の調整画面７８Ｓとして赤色調整ボタン７８Ｒ−１と、緑色調整ボタン７８Ｇ−１と、青色調整ボタン７８Ｂ−１とが表示された場合も、これらボタン７８Ｒ−１、７８Ｇ−１、７８Ｂ−１とタッチパネルスイッチ１６との組み合わせにより表示用画像データＤ１に対する画像編集等の編集指示を行うための指示部が形成される。ここでは、説明を簡単化するために赤色調整ボタン７８Ｒ−１と、緑色調整ボタン７８Ｇ−１と、青色調整ボタン７８Ｂ−１とを指示部とする。この場合、操作者のタッチ操作により例えば赤色調整ボタン７８Ｒ−１を左右方向に移動させると、タッチパネルスイッチ１６は、当該赤色調整ボタン７８Ｒ−１の左右の移動部位に対応する座標信号を発生する。
【００３３】
又、大型液晶モニタ１４の大型表示画面１５上に上記図８に示すように明度補正及びコントラスト補正用の調整画面７９Ｓとして明度調整ボタン８０−１と、コントラスト調整ボタン８１−１とが表示された場合も、これらボタン８０−１、８１−１とタッチパネルスイッチ１６との組み合わせにより表示用画像データＤ１に対する画像編集等の編集指示を行うための指示部が形成される。ここでも、説明を簡単化するために明度調整ボタン８０−１と、コントラスト調整ボタン８１−１とを指示部としてする。この場合も、操作者のタッチ操作により例えば明度調整ボタン８０−１を左右方向に移動させると、タッチパネルスイッチ１６は、当該明度調整ボタン８０−１の左右の移動部位に対応する座標信号を発生する。
【００３４】
スイッチ検知回路６７は、タッチパネルスイッチ１６から出力される座標信号を検知し、この座標信号をディスプレイコントローラ６０に送る。又、スイッチ検知回路６７は、電源レバー１７のオン／オフ状態を検知し、その検知信号をディスプレイコントローラ６０に送る。ここで、ディスプレイコントローラ６０は、スイッチ検知回路６７により検知されたタッチパネルスイッチ１６から出力される座標信号と、大型液晶モニタ１４の大型表示画面１５上に表示されている上記図６に示すモノクロームの作成ボタン７６と、セピアの作成ボタン７７と、上記図７に示す色調補正用の調整画面７８Ｓと、上記図８に示す明度補正及びコントラスト補正用の調整画面７９Ｓとに基づいて編集指示の項目及びその調整量等を判定し、この編集指示の項目及びその調整量等を画像処理回路６８に送る。
【００３５】
画像処理回路６８は、大型液晶モニタ１４の大型表示画面１５上に表示されるモノクロームの作成ボタン７６と、セピアの作成ボタン７７と、赤色調整ボタン７８Ｒ−１と、緑色調整ボタン７８Ｇ−１と、青色調整ボタン７８Ｂ−１と、明度調整ボタン８０−１と、コントラスト調整ボタン８１−１とに対する操作、すなわちディスプレイコントローラ６０からの編集指示の項目及びその調整量等に基づいて大型液晶モニタ１４の大型表示画面１５上に表示している表示用画像データＤ１に対して赤色調整、緑色調整、青色調整、明度調整、コントラスト調整等の画像編集等を施す。
【００３６】
このとき、モノクロームの作成ボタン７６、セピアの作成ボタン７７、赤色調整ボタン７８Ｒ−１、緑色調整ボタン７８Ｇ−１、青色調整ボタン７８Ｂ−１、明度調整ボタン８０−１、コントラスト調整ボタン８１−１に対する操作により表示用画像データＤ１を編集したときの編集指示の情報は、ディスプレイコントローラ６０によって例えばＳＤＲＡＭ６９に記憶される。  
図９は表示用画像データＤ１を編集したときの編集指示情報Ｈの一例を示す。この編集指示情報Ｈは、編集項目として画像特定情報と、色調補正と、明度補正と、コントラスト補正と、モノクローム作成と、セピア作成とを有し、これら編集項目の内容は、画像特定情報がファイル名であり、色調補正がＲＧＢ補正量であり、明度補正が明度補正量であり、コントラスト補正がコントラスト補正量であり、モノクローム作成が当該モノクローム作成のする／しないであり、セピア作成が当該セピア作成のする／しないである。
【００３７】
フラッシュメモリ制御回路６５には、フラッシュメモリ８４が接続される。このフラッシュメモリ８４は、例えば電気的に書き換え可能な不揮発性メモリである。このフラッシュメモリ８４には、本外部編集装置３の動作を制御するためのプログラムが予め記憶されている。なお、外部編集装置３は、フラッシュメモリ８４に記憶されているプログラムをフラッシュメモリ制御回路６５を通して実行することにより本外部編集装置３の動作を制御する。  
送受信回路６６は、ディスプレイコントローラ６０からの送信指令を受けて例えばＳＤＲＡＭ６９に記憶されている編集指示情報Ｈ、すなわち画像特定情報と、色調補正と、明度補正と、コントラスト補正と、モノクローム作成と、セピア作成との編集項目の各内容を電気信号に変換し、この電気信号をデジタルカメラ２向けにアンテナ７１から電波として発信させる。
【００３８】
次に、上記の如く構成されたシステムにおけるデジタルカメラ２の動作について図１０に示すカメラ側動作フローチャートに従って説明する。  
カメラコントローラ３５は、ステップ＃１において、スイッチ検知回路４５を通して電源レバー（パワースイッチ）１０が押し操作され、パワーオンの状態になったか否かを判断する。この判断の結果、パワーオンの状態になると、カメラコントローラ３５は、ステップ＃２のスリープ状態を介してステップ＃３に移り、デジタルカメラ２内の回路を起動する。
【００３９】
次に、カメラコントローラ３５は、ステップ＃４において、ライブビュー画像の動作を開始する。すなわち、撮像素子３１は、撮影光学系２２により結像された被写体像を光電面で受光し、この被写体像を光電変換し、画像信号として出力する。この撮像素子３１から出力される画像信号は、Ａ／Ｄ変換回路３３によってデジタル画像データに変換されて画像処理回路３７に送られる。  
この画像処理回路３７は、Ａ／Ｄ変換回路３３からの画像データを入力し、この画像データに対してデジタル的増幅（デジタルゲイン調整処理）と、色補正と、ガンマ（γ）補正と、コントラスト補正等の各種の画像処理を行う。そして、ビデオ信号出力回路３９は、画像処理回路３７から出力されるライブビュー用の画像データを液晶モニタ１２に表示するためのビデオ信号に変換する。液晶モニタ駆動回路４７は、ビデオ信号出力回路３９からのビデオ信号を入力してライブビュー用の画像データを液晶モニタ１２に表示する。
【００４０】
次に、スイッチ検知回路４５は、ステップ＃５において、各種スイッチ５１の状態、すなわちレリーズスイッチ６と、再生スイッチ７と、メニュースイッチ８と、送信スイッチ９と、電源レバー（パワースイッチ）１０と、各選択釦１１とがオン状態又はオフ状態であるのかを読み込む。そして、カメラコントローラ３５は、ステップ＃６において、再生スイッチ７がオン状態又はオフ状態であるのかを判断し、この判断の結果、再生スイッチ７がオン状態であれば、ステップ＃７に移って再生モードに移行する。  
次に、カメラコントローラ３５は、ステップ＃８において、メニュースイッチ８がオン状態又はオフ状態であるか否かを判断し、この判断の結果、メニュースイッチ８がオン状態であれば、ステップ＃９に移ってメニュー設定生モードに移行する。
【００４１】
次に、カメラコントローラ３５は、ステップ＃１０において、レリーズスイッチ６がオン状態又はオフ状態であるか否かを判断し、この判断の結果、レリーズスイッチ６がオン状態であれば、ステップ＃１１に移って撮影モードに移行する。  
次に、カメラコントローラ３５は、ステップ＃１２において、送信スイッチ９がオン状態又はオフ状態であるか否かを判断し、この判断の結果、送信スイッチ９がオン状態であれば、ステップ＃１３に移って通信モードに移行する。  
次に、カメラコントローラ３５は、ステップ＃１４において、電源レバー（パワースイッチ）１０がオン状態又はオフ状態であるか否かを判断し、この判断の結果、電源レバー（パワースイッチ）１０がオン状態であれば、ステップ＃２に移る。
【００４２】
次に、デジタルカメラ２の撮影モードについて図１１に示す撮影モードフローチャートに従って説明する。  
カメラコントローラ３５は、ステップ＃１１において、レリーズスイッチ６がオン状態であれば、撮影モードに移行する。撮影モードにおいて、ライブビュー用の画像データが液晶モニタ１２に表示開始されている状態に、レリーズスイッチ６が例えば半押しされると、カメラコントローラ３５は、ステップ＃２０において、ライブビュー用の画像データに基づいて露光量を演算して求める。  
次に、カメラコントローラ３５は、ステップ＃２１において、露光条件として、露光量に応じた絞り等の光量調節機構２３の絞り値データ等を求め、この絞り値データを光量調節駆動機構２５に送る。この光量調節駆動機構２５は、絞り値データに従って光量調節機構２３の絞り径を調節する。なお、カメラコントローラ３５は、フォーカス位置の調節を行うためのレンズ駆動機構２４に対してフォーカス位置調節の指令を送出することにより撮影光学系２２を光軸ａ方向に移動させ、撮影光学系２２の位置を決定する。
【００４３】
次に、カメラコントローラ３５は、ステップ＃２２において、決定された露出条件に従って撮影光学系２２のフォーカス位置と、撮像素子３１の電子シャッター速度との設定で露光動作を行わせる。このとき、カメラコントローラ３５は、ステップ＃２３において、光量調節駆動機構２５に対して調節された絞り径で開放させる指令を送る。  
しかるに、撮像素子３１は、ステップ＃２４において、撮影光学系２２により結像された被写体像を光電面で受光し、この被写体像を光電変換し、画像信号として出力する。この撮像素子３１から読み出された画像信号は、Ａ／Ｄ変換回路３３によってデジタル化されて画像データとなる。
【００４４】
画像処理回路３７は、ステップ＃２５において、Ａ／Ｄ変換回路３３からの画像データを入力し、この画像データに対してデジタル的増幅や、色補正、ガンマ（γ）補正、コントラスト補正等の各種の画像処理を行う。  
又、画像処理回路３７は、ステップ＃２６において、例えば図４に示すような画像ファイル構造を有する液晶モニタ１２に表示するための表示用画像データＤ１を生成すると共に、この表示用画像データＤ１よりもデータ量の多い本画像データＤ２を生成する。  
これら表示用画像データＤ１と本画像データＤ２とは、ステップ＃２７において、カメラコントローラ３５の指令によって例えばＳＤＲＡＭ制御部４０を通してＳＤＲＡＭ４６に記憶される。
【００４５】
次に、デジタルカメラ２の通信モードについて図１２に示す通信モードフローチャートに従って説明する。  
カメラコントローラ３５は、ステップ＃１３において、送信スイッチ９がオン状態であれば、通信モードに移行する。通信モードにおいて、カメラコントローラ３５は、ステップ＃３０において、送受信回路４２に対して送信指令を発する。この送受信回路４２は、外部編集装置３との間でデータ通信を開始するための送信要求信号を送信する。この送信要求信号は、外部編集装置３に向けてアンテナ７１から電波として発信される。
【００４６】
次に、カメラコントローラ３５は、ステップ＃３１において、送受信回路４２を通して送信要求に対する外部編集装置３からの応答が送信要求信号を送信してから所定時間内にあるか否かを判断する。この判断の結果、外部編集装置３からの応答がなければ、カメラコントローラ３５は、ステップ＃３２に移り、外部編集装置３との間でデータ通信が不能であるものと判断し、その旨を液晶モニタ１２に表示させる。
【００４７】
一方、外部編集装置３からデータ通信可能の応答があると、カメラコントローラ３５は、ステップ＃３３に移り、ＳＤＲＡＭ４６又は記録媒体４８に記憶されている例えば図４に示す画像ファイルのうち管理データＭと少なくとも１つ以上の表示用画像データＤ１を読み出す。  
次に、カメラコントローラ３５は、ステップ＃３４において、送受信回路４２に対して管理データＭと少なくとも１つ以上の表示用画像データＤ１を送信する指令を発する。これにより、送受信回路４２は、管理データＭと少なくとも１つ以上の表示用画像データＤ１を外部編集装置３に向けてアンテナ７１から電波として発信する。
【００４８】
次に、カメラコントローラ３５は、ステップ＃３５において、送受信回路４２を通して外部編集装置３から表示用画像データＤ１に対する画像編集された情報Ｈを受信したか否かを判断する。この判断の結果、外部編集装置３から表示用画像データＤ１に対する画像編集の情報を受信しなければ、カメラコントローラ３５は、ステップ＃３６において、送信スイッチ９が再度オン状態になったか否かを判断する。この判断の結果、送信スイッチ９が再度オン状態にならなければ、カメラコントローラ３５は、ステップ＃３５に戻り、外部編集装置３からの表示用画像データＤ１に対する画像編集の情報の受信の待ち状態になる。
【００４９】
これに対して外部編集装置３からの表示用画像データＤ１に対する画像編集の情報を受信すると、カメラコントローラ３５は、ステップ＃３７に移り、後述するように画像編集の情報に基づいての本画像データＤ２への画像編集を施す。
【００５０】
次に、外部編集装置３の動作について図１３に示す表示装置動作フローチャートに基づいて説明する。  
外部編集装置３のディスプレイコントローラ６０は、ステップ＃５０において、スイッチ検知回路６７を通して電源レバー（パワースイッチ）１７が押し操作され、パワーオンの状態になったか否かを判断する。この判断の結果、パワーオフの状態であれば、ディスプレイコントローラ６０は、ステップ＃５１に移ってスリープ状態になる。
【００５１】
一方、パワーオンの状態であれば、ディスプレイコントローラ６０は、ステップ＃５２に移り、送受信回路６６を通してデジタルカメラ２からの送信要求信号を受信したか否かを判断する。この判断の結果、デジタルカメラ２からの送信要求信号を受信すると、ディスプレイコントローラ６０は、ステップ＃５３に移り、データ通信可能の応答を送受信回路６６を通してデジタルカメラ２に返送する。  
次に、ディスプレイコントローラ６０は、ステップ＃５４において、デジタルカメラ２から送信された管理データＭと少なくとも１つ以上の表示用画像データＤ１を送受信回路６６を通して受信し、これら管理データＭと少なくとも１つ以上の表示用画像データＤ１とを例えばＳＤＲＡＭ制御回路６４を通してＳＤＲＡＭ６９に記憶する。
【００５２】
次に、ディスプレイコントローラ６０は、ステップ＃５５において、ＳＤＲＡＭ６９から少なくとも１つ以上の表示用画像データＤ１を読み出し、これら表示用画像データＤ１をビデオ信号出力回路６３に送る。このビデオ信号出力回路６３は、表示用画像データＤ１を大型液晶モニタ１４に表示するためのビデオ信号に変換する。液晶モニタ駆動回路７０は、ビデオ信号出力回路６３からのビデオ信号により大型液晶モニタ１４を駆動するので、大型液晶モニタ１４には、例えば図５に示すような複数の表示用画像データＤ１、例えば１５枚の表示用画像データＤ１がサムネイル表示される。これら表示用画像データＤ１には、それぞれ各画像データを識別するための各符号「１」〜「１５」が付されている。
【００５３】
又、ビデオ信号出力回路６３は、ディスプレイコントローラ６０からの指令を受けて例えば図６に示すような表示用画像データＤ１に対する画像編集のメニュー７３を大型液晶モニタ１４に表示するためのビデオ信号を作成する。これにより、大型液晶モニタ１４には、例えば色調補正ボタン７４と、明度補正及びコントラスト補正ボタン７５と、モノクロームの作成ボタン７６と、セピアの作成ボタン７７とを有する画像編集のメニュー７３の画像が表示される。
【００５４】
次に、ディスプレイコントローラ６０は、ステップ＃５６において、大型液晶モニタ１４の大型表示画面１５上にサムネイル表示されている複数の表示用画像データＤ１中から選択された表示用画像データＤ１があるか否かを判断する。  
ここで、操作者が大型液晶モニタ１４に表示されている例えば符号「６」の表示用画像データＤ１の画像部位上のタッチパネルスイッチ１６に対してタッチ操作すると、タッチパネルスイッチ１６は、符号「６」の表示用画像データＤ１の画像部位上のタッチ部位に対応する座標信号を発生する。スイッチ検知回路６７は、タッチパネルスイッチ１６から出力される座標信号を検知し、この座標信号をディスプレイコントローラ６０に送る。
【００５５】
ディスプレイコントローラ６０は、ステップ＃５７において、スイッチ検知回路６７により検知されたタッチパネルスイッチ１６から出力される座標信号と、大型液晶モニタ１４の大型表示画面１５上にサムネイル表示されている例えば上記図６に示すような各表示用画像データＤ１の表示位置とに基づいて選択された例えば符号「６」の表示用画像データＤ１を選択し、当該符号「６」の表示用画像データＤ１のみを大型液晶モニタ１４の大型表示画面１５上に拡大表示する指令を圧縮伸張回路６２及びビデオ信号出力回路６３に発する。このうち圧縮伸張回路６２は、符号「６」の表示用画像データＤ１を伸張処理する。ビデオ信号出力回路６３は、圧縮伸張回路６２により伸張処理された符号「６」の表示用画像データＤ１を大型液晶モニタ１４に表示するためのビデオ信号を作成する。これにより、大型液晶モニタ１４には、図７に示すように符号「６」の表示用画像データＤ１の拡大画像が表示される。
【００５６】
なお、図７には示していないが、大型液晶モニタ１４には、符号「６」の表示用画像データＤ１の拡大画像と共に、上記図６に示すのと同様に、画像編集のメニュー７３を形成する色調補正ボタン７４と、明度補正及びコントラスト補正ボタン７５と、モノクロームの作成ボタン７６と、セピアの作成ボタン７７とが表示されている。
【００５７】
次に、ディスプレイコントローラ６０は、ステップ＃５８において、色調補正ボタン７４がタッチ操作されたか否かを判断する。この判断は、スイッチ検知回路６７により検知されたタッチパネルスイッチ１６から出力される座標信号と、大型液晶モニタ１４の大型表示画面１５上に表示されている色調補正ボタン７４の表示位置とに基づいて行われる。
【００５８】
この判断の結果、色調補正ボタン７４がタッチ操作されると、ディスプレイコントローラ６０は、ステップ＃５９に移り、ビデオ信号出力回路６３に対して例えば図７に示すような色調補正用の調整画面７８Ｓを大型液晶モニタ１４に表示するためのビデオ信号を作成する指令を発する。これにより、大型液晶モニタ１４の大型表示画面１５上には、例えば図７に示すように色調を補正するための赤色調整ボタン７８Ｒ−１と、緑色調整ボタン７８Ｇ−１と、青色調整ボタン７８Ｂ−１とを有する色調補正用の調整画面７８Ｓが表示される。
【００５９】
これら赤色調整ボタン７８Ｒ−１と、緑色調整ボタン７８Ｇ−１と、青色調整ボタン７８Ｂ−１とは、それぞれスライド式で、例えば左側「−」が色調の度合いが小さく、左側「＋」が色調の度合いが高く、操作者のタッチ操作により調整される。  
画像処理回路６８は、大型液晶モニタ１４の大型表示画面１５上に表示される赤色調整ボタン７８Ｒ−１と、緑色調整ボタン７８Ｇ−１と、青色調整ボタン７８Ｂ−１とに対する各操作量に基づいて大型液晶モニタ１４の大型表示画面１５上に表示している符号「６」の表示用画像データＤ１に対して赤色調整、緑色調整、青色調整の画像編集等を施す。このとき、ディスプレイコントローラ６０は、赤色調整ボタン７８Ｒ−１、緑色調整ボタン７８Ｇ−１、青色調整ボタン７８Ｂ−１に対する操作により表示用画像データＤ１を編集したときの編集指示の情報を例えばＳＤＲＡＭ６９に記憶する。
【００６０】
次に、ディスプレイコントローラ６０は、ステップ＃６０において、明度補正及びコントラスト補正ボタン７５がタッチ操作されたか否かを判断する。この判断は、スイッチ検知回路６７により検知されたタッチパネルスイッチ１６から出力される座標信号と、大型液晶モニタ１４の大型表示画面１５上に表示されている明度補正及びコントラスト補正ボタン７５の表示位置とに基づいて行われる。
【００６１】
この判断の結果、明度補正及びコントラスト補正ボタン７５がタッチ操作されると、ディスプレイコントローラ６０は、ステップ＃６１に移り、ビデオ信号出力回路６３に対して例えば図８に示すような明度補正及びコントラスト補正用の調整画面７９Ｓを大型液晶モニタ１４に表示するためのビデオ信号を作成する指令を発する。これにより、大型液晶モニタ１４の大型表示画面１５上には、例えば図８に示すように明度調整ボタン８０−１と、コントラスト調整ボタン８１−１とを有する明度補正及びコントラスト補正用の調整画面７９Ｓが表示される。
【００６２】
明度調整ボタン８０−１と、コントラスト調整ボタン８１−１とは、それぞれスライド式で明度、コントラストを調整する。例えば明度調整ボタン８０−１は、左側「−」が明度の度合いが小さく、左側「＋」が明度の度合いが高く、操作者のタッチ操作により調整される。又、コントラスト調整ボタン８１−１は、左側「−」がコントラストの度合いが小さく、左側「＋」がコントラストの度合いが高く、操作者のタッチ操作により調整される。
【００６３】
画像処理回路６８は、明度調整ボタン８０−１と、コントラスト調整ボタン８１−１とに対する操作量に応じて大型液晶モニタ１４の大型表示画面１５上に表示している符号「６」の表示用画像データＤ１に対して明度調整、コントラスト調整の画像編集を施す。このとき、ディスプレイコントローラ６０は、明度調整ボタン８０−１、コントラスト調整ボタン８１−１に対する操作により表示用画像データＤ１を編集したときの編集指示の情報を例えばＳＤＲＡＭ６９に記憶する。
【００６４】
次に、ディスプレイコントローラ６０は、ステップ＃６２において、モノクロームの作成ボタン７６がタッチ操作されたか否かを判断する。この判断は、スイッチ検知回路６７により検知されたタッチパネルスイッチ１６から出力される座標信号と、大型液晶モニタ１４の大型表示画面１５上に表示されているモノクロームの作成ボタン７６の表示位置とに基づいて行われる。
【００６５】
この判断の結果、モノクロームの作成ボタン７６がタッチ操作されると、ディスプレイコントローラ６０は、ステップ＃６３に移り、画像処理回路６８に対してモノクロームの作成の指令を発する。これにより、画像処理回路６８は、符号「６」の表示用画像データＤ１に対してモノクローム化する画像編集を施す。このとき、ディスプレイコントローラ６０は、モノクロームを作成する編集指示の情報を例えばＳＤＲＡＭ６９に記憶する。
【００６６】
次に、ディスプレイコントローラ６０は、ステップ＃６４において、セピアの作成ボタン７７がタッチ操作されたか否かを判断する。この判断は、スイッチ検知回路６７により検知されたタッチパネルスイッチ１６から出力される座標信号と、大型液晶モニタ１４の大型表示画面１５上に表示されているセピアの作成ボタン７７の表示位置とに基づいて行われる。  
この判断の結果、セピアの作成ボタン７７がタッチ操作されると、ディスプレイコントローラ６０は、ステップ＃６５に移り、画像処理回路６８に対してセピアの作成の指令を発する。これにより、画像処理回路６８は、符号「６」の表示用画像データＤ１に対してセピア化する画像編集を施す。このとき、ディスプレイコントローラ６０は、セピアを作成する編集指示の情報を例えばＳＤＲＡＭ６９に記憶する。
【００６７】
この結果、ＳＤＲＡＭ６９には、例えば図９に示すような符号「６」の表示用画像データＤ１を編集したときの編集指示情報Ｈが作成される。この編集指示情報Ｈは、画像特定情報として符号「６」の表示用画像データＤ１のファイル名、色調補正としてＲＧＢ補正量、明度補正として明度補正量、コントラスト補正としてコントラスト補正量、さらにモノクローム作成をする／しない、セピア作成をする／しないである。
【００６８】
次に、ディスプレイコントローラ６０は、ステップ＃６６において、送受信回路６６に対してデジタルカメラ２に向けてＳＤＲＡＭ６９に記憶されている編集指示情報Ｈを送信する指令を発する。送受信回路６６は、ＳＤＲＡＭ６９からの編集指示情報Ｈをデジタルカメラ２に向けてアンテナ７１から電波として発信する。  
次に、ディスプレイコントローラ６０は、ステップ＃６７において、送受信回路６６を通して編集指示情報Ｈを送信してから所定時間内にデジタルカメラ２からの完了信号の受信があるか否かを判断する。この判断の結果、デジタルカメラ２からの応答がなければ、ディスプレイコントローラ６０は、ステップ＃６９に移り、デジタルカメラ２との間でデータ通信が不能であるものと判断し、処理内容すなわち編集指示情報Ｈの送信等をリセットする。
【００６９】
一方、デジタルカメラ２からデータ受信等の応答があると、カメラコントローラ３５は、ステップ＃６８に移り、例えば図５に示すように複数の表示用画像データＤ１、例えば１５枚の表示用画像データＤ１を大型液晶モニタ１４にサムネイル表示させる。  
そして、カメラコントローラ３５は、ステップ＃７０において、編集の終了指示があるか否かを判断し、編集の終了指示がなければ、ステップ＃５６に移る。
【００７０】
以上のように符号「６」の表示用画像データＤ１に対する編集処理では、説明を簡単化するために当該符号「６」の表示用画像データＤ１に対して色調補正と、明度補正及びコントラスト補正と、モノクロームの作成の有無と、セピアの作成の有無とを連続して行い、当該符号「６」の表示用画像データＤ１に対する編集指示情報Ｈを一括して作成するように説明したが、図１３に示す表示装置動作フローチャートに従って符号「６」の表示用画像データＤ１に対して色調補正と、明度補正及びコントラスト補正と、モノクロームの作成の有無と、セピアの作成の有無とを個別に行い、これら符号「６」の表示用画像データＤ１に対して色調補正と、明度補正及びコントラスト補正と、モノクロームの作成の有無と、セピアの作成の有無との各編集処理が終了する毎に、これらの各編集指示情報Ｈを個別でデジタルカメラ２に送信してもよい。
【００７１】
一方、カメラコントローラ３５は、上記図１２に示すデジタルカメラの通信モードフローチャートのステップ＃３５において、送受信回路４２を通して外部編集装置３から符号「６」の表示用画像データＤ１に対する画像編集された編集指示情報Ｈを受信したか否かを判断する。  
この判断の結果、外部編集装置３からの符号「６」の表示用画像データＤ１に対する編集指示情報Ｈを受信すると、カメラコントローラ３５は、ステップ＃３７に移り、編集指示情報Ｈに基づいての符号「６」の本画像データＤ２への画像編集を施す。すなわち、カメラコントローラ３５は、ステップ＃３７において、例えばＳＤＲＡＭ制御部４０を通してＳＤＲＡＭ４６に記憶されている符号「６」の表示用画像データＤ１に対応する符号「６」の本画像データＤ２を読み出す。
【００７２】
次に、カメラコントローラ３５は、ステップ＃３８において、画像処理回路３７に対して符号「６」の表示用画像データＤ１に対する編集指示情報Ｈに従って符号「６」の本画像データＤ２を編集処理させる指令を発する。これにより、画像処理回路３７は、符号「６」の表示用画像データＤ１に対する編集指示情報Ｈ、すなわち色調補正としてＲＧＢ補正量、明度補正として明度補正量、コントラスト補正としてコントラスト補正量、さらにモノクローム作成をする／しない、セピア作成をする／しないに従って符号「６」の本画像データＤ２を編集処理する。
【００７３】
次に、カメラコントローラ３５は、ステップ＃３９において、編集指示情報Ｈに従って編集処理した符号「６」の本画像データＤ２を例えばＳＤＲＡＭ制御部４０を通してＳＤＲＡＭ４６に記憶する。  
次に、カメラコントローラ３５は、ステップ＃４０において、送受信回路４２に対して外部編集装置３に向けて完了信号送信の指示を送出する。これにより、送受信回路４２は、外部編集装置３に向けて完了信号をアンテナ４９から電波として発信する。  
なお、外部編集装置３のディスプレイコントローラ６０は、上記外部編集装置の表示装置動作フローチャートにおけるステップ＃６７において、送受信回路６６を通して編集指示情報Ｈを送信してから所定時間内にデジタルカメラ２からの完了信号を受信したことを判断する。
【００７４】
このように上記一実施の形態によれば、デジタルカメラ２と外部編集装置３とから成る画像編集システム１を構成し、デジタルカメラ２は、画像ファイルのうち管理データＭと表示用画像データＤ１とをアンテナ４９を介して電波として外部編集装置３に向けて発信し、外部編集装置３は、デジタルカメラ２から表示用画像データＤ１の画像を大型液晶モニタ１４に表示して色調補正、明度補正及びコントラスト補正、モノクロームの作成、セピアの作成等の画像編集を行い、この画像編集の編集指示情報Ｈをアンテナ４９を介して電波としてデジタルカメラ２に向けて発信し、再びデジタルカメラ２は、編集指示情報Ｈに従って本画像データＤ２を編集処理する。
【００７５】
これにより、本画像データＤ２に対してＲＧＢの調整による色調補正、明度補正量、コントラスト補正、さらにモノクロームの作成、セピアの作成の画像編集を行うときに、例えばＵＳＢケーブルを介してデジタルカメラ２と外部編集装置３との間を接続する手間が無く、かつパーソナルコンピュータを用いたときのように画像編集用のソフトウエアを立ち上げる必要もない。従って、本画像データＤ２に対する画像編集の作業がし易く、画像編集の利便性を向上して使い勝手を良くすることができる。
【００７６】
外部編集装置３では、大型液晶モニタ１４に表示用画像データＤ１の画像を表示して画像編集を行うので、色調補正、明度補正量、コントラスト補正、さらにモノクロームの作成、セピアの作成の画像編集を行ったときの色調の変化の度合い、明度の変化の度合い、コントラストの変化の度合い、さらにモノクロームに変えたときの画像の状態、セピアに変えたときの画像の状態等の表示用画像データＤ１の画像の編集の状態を適確に確認できる。
【００７７】
外部編集装置３を用いての画像編集の操作は、大型液晶モニタ１４の大型表示画面１５上に表示されている赤色調整ボタン７８Ｒ−１、緑色調整ボタン７８Ｇ−１、青色調整ボタン７８Ｂ−１、明度調整ボタン８０−１と、コントラスト調整ボタン８１−１等をタッチ操作すればよいので、これらボタンは、例えば携帯電話機の操作ボタンよりもサイズが大きく、操作し易く、快適に画像編集を行うことができる。
【００７８】
又、デジタルカメラ２と外部編集装置３とは、無線通信により表示用画像データＤ１や色調補正、明度補正量、コントラスト補正、さらにモノクロームの作成、セピアの作成の編集指示情報Ｈをデータ通信するので、例えばデジタルカメラ２を外部編集装置３に対して無線通信可能な範囲に配置するだけで、色調補正、明度補正量、コントラスト補正、さらにモノクロームの作成、セピアの作成の画像編集を行うことができる。
【００７９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００８０】
【図１】本発明に係る画像編集システムの一実施の形態を示す外観図。
【図２】同システムにおけるデジタルカメラの具体的な構成図。
【図３】同システムにおける外部編集装置の具体的な構成図。
【図４】同システムにおける画像ファイルの構造図。
【図５】同システムにおける大型液晶モニタに表示される複数の表示用画像データのサムネイル表示を示す図。
【図６】同システムにおける大型液晶モニタに表示する表示用の画像データに対する画像編集のメニューの表示例を示す図。
【図７】同システムにおける色調補正用の調整画面を示す図。
【図８】同システムにおける明度補正及びコントラスト補正用の調整画面を示す図。
【図９】同システムにおける表示用の画像データを編集したときの編集指示情報の一例を示す図。
【図１０】同システムにおけるデジタルカメラのカメラ側動作フローチャート。
【図１１】同システムにおけるデジタルカメラの撮影モードのフローチャート。
【図１２】同システムにおけるデジタルカメラの通信モードフローチャート。
【図１３】同システムにおける外部編集装置の表示装置動作フローチャート。
【符号の説明】
【００８１】
１：画像編集システム、２：デジタルカメラ、３：外部編集装置、４：カメラ本体、５：交換レンズ、６：レリーズスイッチ、７：再生スイッチ、８：メニュースイッチ、９：送信スイッチ、１０：電源レバー、１１：モニタ画面、１２：液晶モニタ（背面液晶モニタ）、１３：装置本体、１４：大型液晶モニタ、１５：大型表示画面、１６：タッチパネルスイッチ、１７：電源レバー、２０：交換レンズ、２１：カメラ本体、２２：撮影光学系、２３：光量調節機構、２４：レンズ駆動機構、２５：光量調節駆動機構、３０：赤外カットフィルタ・ローパスフィルタ、３１：撮像素子、３２：撮像素子駆動回路、３３：Ａ／Ｄ変換回路、３４：ＡＳＩＣ（特定用途向け集積回路）、３５：カメラコントローラ、３６：データバス、３７：画像処理回路、３８：圧縮伸張回路、３９：ビデオ信号出力回路、４０：ＳＤＲＡＭ制御回路、４１：入出力回路、４２：送受信回路、４３：記録媒体制御回路、４４：フラッシュメモリ制御回路、４５：スイッチ検知回路、４６：ＳＤＲＡＭ、４７：液晶モニタ駆動回路、４８：記録媒体、４９：アンテナ、５０：フラッシュメモリ、５１：各種スイッチ、６０：ディスプレイコントローラ、６１：データバス、６２：圧縮伸張回路、６３：ビデオ信号出力回路、６４：ＳＤＲＡＭ制御回路、６５：フラッシュメモリ制御回路、６６：送受信回路、６７：スイッチ検知回路、６８：画像処理回路、６９：ＳＤＲＡＭ、７２：次のボタン、７３：画像編集のメニュー、７４：色調補正ボタン、７５：明度補正及びコントラスト補正ボタン、７６：モノクロームの作成ボタン、７７：セピアの作成ボタン、７８Ｓ：色調補正用の調整画面、７８Ｒ−１：赤色調整ボタン、７８Ｇ−１：緑色調整ボタン、７８Ｂ−１：青色調整ボタン、７９Ｓ：明度補正及びコントラスト補正用の調整画面、８０−１：明度調整ボタン、８１−１：コントラスト調整ボタン、８０−２：明度レベル表示部、８１−２：コントラストレベル表示部、８２：ＯＫボタン、８３：戻りボタン、８４：フラッシュメモリ。
【図１】
2010050635.tif 000003
【図２】
2010050635.tif 000004
【図３】
2010050635.tif 000005
【図４】
2010050635.tif 000006
【図５】
2010050635.tif 000007
【図６】
2010050635.tif 000008
【図７】
2010050635.tif 000009
【図８】
2010050635.tif 000010
【図９】
2010050635.tif 000011
【図１０】
2010050635.tif 000012
【図１１】
2010050635.tif 000013
【図１２】
2010050635.tif 000014
【図１３】
2010050635.tif 000015